(57)【要約】【課題】健康管理機器を用いて身体測定をした利用者に対して、実際の医療現場の基準に即した正確な通院要否判断を可能ならしめ得る病院紹介システムを、提供する。【解決手段】健康管理データベース４には、複数の病院が夫々提供した各種身体測定値の判定基準を定義するとともに提供元病院の識別情報が登録された複数の病院基準値テーブル４３が、格納されている。  健康管理サーバ６は、利用者の健康管理機器１から各種身体測定値を含むメッセージを受信すると、健康管理データベース４から全病院基準値テーブル４３を夫々読み出し、各病院基準値テーブル４３毎に、そのテーブル４３に定義されている判定基準に対して前記メッセージに含まれる各身体測定値を適用して、その危険度を判定する。そして、各病院の病院名を、その病院が提供した病院基準値テーブル４３に基づいて判定された危険度の種類及び程度とともに併記した電子情報を、メッセージ送信元利用者へ送信する。【選択図】図２
2007264983.tif 000002
【特許請求の範囲】
【請求項１】
利用者の身体を測定することによって得た測定値を送信する端末とネットワークを通じてデータ通信が可能であるとともに、複数の病院が夫々提供した身体測定値の判定基準及び提供元病院の識別情報を夫々定義した複数の判定基準情報を格納したデータベースに接続されたサーバ装置であって、
何れかの利用者の前記端末から身体測定値及び当該利用者の識別情報を含むメッセージを受信すると、データベースから全ての判定基準情報を読み出す判定基準情報読出手段と、
この基準値情報読出手段により読み出された各判定基準情報毎に、夫々、判定基準情報に含まれる判定基準に対して前記メッセージ中に含まれる身体測定値を適用して、当該身体測定値が異常であるか正常であるかの判定を行う判定手段と、
この判断手段による各判定基準情報毎の判定結果を、各判定基準情報に含まれる各病院の識別情報に対応した提供元病院名とともに列挙した電子情報を生成する電子情報生成手段と、
この電子情報生成手段により生成された電子情報を、前記メッセージ中に含まれる利用者の識別情報に対応した当該利用者宛てに送信する電子情報送信手段と
を備えることを特徴とする病院紹介サーバ。
【請求項２】
前記メッセージには複数種類の身体測定値が含まれ、
前記各判定基準情報は前記複数種類の身体測定値の判定基準を定義し、
前記判定手段は、前記判定基準情報に含まれる各種類の身体測定値の判定基準に対して前記メッセージに含まれる各身体測定値を夫々適用して、各身体測定値が夫々異常であるか正常であるかの判定を夫々行い、
前記電子情報生成手段は、各病院毎に、異常と判断された身体測定情報の種類も列挙した前記電子情報を生成する
ことを特徴とする請求項１記載の病院紹介サーバ装置。
【請求項３】
ネットワークを通じて利用者との間でデータ通信が可能であるとともに、複数の病院が夫々提供した身体測定値の判定基準及び提供元病院の識別情報を夫々定義した複数の判定基準情報を格納したデータベースに接続されたコンピュータに対して、
何れかの利用者の前記端末から身体測定値及び当該利用者の識別情報を含むメッセージを受信すると、データベースから全ての判定基準情報を読み出す判定基準情報読出処理，
この基準値情報読出処理により読み出された各判定基準情報毎に、夫々、判定基準情報に含まれる判定基準に対して前記メッセージ中に含まれる身体測定値を適用して、当該身体測定値が異常であるか正常であるかの判定を行う判定処理，
この判断処理による各判定基準情報毎の判定結果を、各判定基準情報に含まれる各病院の識別情報に対応した提供元病院名とともに列挙した電子情報を生成する電子情報生成処理，及び、
この電子情報生成処理により生成された電子情報を、前記メッセージ中に含まれる利用者の識別情報に対応した当該利用者宛てに送信する電子情報送信処理
を実行させることを特徴とする病院紹介プログラム。
【発明の詳細な説明】
【技術分野】
【０００１】
本発明は、利用者の端末から送信されて来る利用者の各種身体測定値に基づき、当該身体測定値が異常であると認める病院を紹介する病院紹介サーバ及び病院紹介プログラムに関する。
【背景技術】
【０００２】
近年、電子技術の普及に伴い、各種の身体測定が可能な健康管理機器が販売されている。例えば、電子体温計，血圧計，体重計，体脂肪計等である。そのため、家庭において、これら健康管理機器を用いて、自己又は家族の身体測定値を測定することができるように、なってきている。そして、一般の利用者は、これらの健康管理機器の説明書や一般文献により一般的なものとして紹介されている「正常範囲」と各測定値とを比較して、何れかの測定値が「正常範囲」を外れている場合に不安をは、精密検査を受ける必要性や治療を受ける必要性を検討し、何れかが必要な場合に初めて病院に通い出していた。
【発明の開示】
【発明が解決しようとする課題】
【０００３】
しかしながら、健康管理機器の説明書や一般文献により一般的なものとして紹介されている各種身体測定値の「正常範囲」は、多くの医学者や医師が主張する正常範囲の平均的なものであり、当たり障りのないものでしかなかった。
【０００４】
ところが、医師の専門性や判断能力が高くなると、身体測定値の正常範囲の基準をより厳密に設定することが可能になる。また、病院毎に、そのポリシーに依り、基準が異なることが多い。
【０００５】
そのため、利用者が、一般的なものとして紹介されている正常範囲を参照し、身体測定値がその正常範囲を外れていると判断して病院へ行ったとしても、病院又は医師に依っては、問題なしと診断される場合もある。この場合、当該利用者の身体が完全に正常であれば良いのであるが、当該利用者が実際には疾病に罹患しているにも拘わらず、当該医師が当該疾病を専門外としていたことに因り、また、当該病院のポリシーにより、問題なしと診断されたのであれば、当該利用者は早期治療のチャンスを逸することになり、また、当該医師又は病院にとっても、医療ミスの責任を追及されかねない。
【０００６】
他方、医学の進歩に比較してかかる「正常範囲」が古くなり、従来「正常範囲」内とされていた値が、ある種の疾病の徴候であると考えられるようになることもあり得る。その場合には、身体測定値がその「正常範囲」内であると判断して病院へ行かなかったことにより、かかる疾病の徴候を見逃してしまうこともある。
【０００７】
本発明は、ネットワーク技術を利用して、健康管理機器を用いて身体測定をした利用者に対して、実際の医療現場の基準に即した厳密な通院要否判断を可能ならしめる病院紹介サーバ，及び、ネットワークに接続されたサーバ装置をかかる病院紹介サーバとして機能させる病院紹介プログラムの提供を、課題とする。
【課題を解決するための手段】
【０００８】
上述した課題を解決するために案出された本発明による病院紹介サーバは、利用者の身体を測定することによって得た測定値を送信する端末とネットワークを通じてデータ通信が可能であるとともに、複数の病院が夫々提供した身体測定値の判定基準及び提供元病院の識別情報を夫々定義した複数の判定基準情報を格納したデータベースに接続されたサーバ装置であって、何れかの利用者の前記端末から身体測定値及び当該利用者の識別情報を含むメッセージを受信すると、データベースから全ての判定基準情報を読み出す判定基準情報読出手段と、この基準値情報読出手段により読み出された各判定基準情報毎に、夫々、判定基準情報に含まれる判定基準に対して前記メッセージ中に含まれる身体測定値を適用して、当該身体測定値が異常であるか正常であるかの判定を行う判定手段と、この判断手段による各判定基準情報毎の判定結果を、各判定基準情報に含まれる各病院の識別情報に対応した提供元病院名とともに列挙した電子情報を生成する電子情報生成手段と、この電子情報生成手段により生成された電子情報を、前記メッセージ中に含まれる利用者の識別情報に対応した当該利用者宛てに送信する電子情報送信手段とを、備えることを特徴とする。
【０００９】
また、本発明による病院紹介プログラムは、ネットワークを通じて利用者との間でデータ通信が可能であるとともに、複数の病院が夫々提供した身体測定値の判定基準及び提供元病院の識別情報を夫々定義した複数の判定基準情報を格納したデータベースに接続されたコンピュータに対して、何れかの利用者の前記端末から身体測定値及び当該利用者の識別情報を含むメッセージを受信すると、データベースから全ての判定基準情報を読み出す判定基準情報読出処理，この基準値情報読出処理により読み出された各判定基準情報毎に、夫々、判定基準情報に含まれる判定基準に対して前記メッセージ中に含まれる身体測定値を適用して、当該身体測定値が異常であるか正常であるかの判定を行う判定処理，この判断処理による各判定基準情報毎の判定結果を、各判定基準情報に含まれる各病院の識別情報に対応した提供元病院名とともに列挙した電子情報を生成する電子情報生成処理，及び、この電子情報生成処理により生成された電子情報を、前記メッセージ中に含まれる利用者の識別情報に対応した当該利用者宛てに送信する電子情報送信処理を実行させることを、特徴とする。
【００１０】
このように構成されると、ユーザは、身体測定可能なセンサを有する端末又は身体測定値を入力できる端末を用いて、自己の身体測定値を含むメッセージを、病院紹介サーバ（病院紹介プログラムを実行するコンピュータ，以下同じ）へ送信する。すると、病院紹介サーバは、予め複数の病院から夫々提供されていた判定基準情報をデータベースから読み出して、各判定基準情報に基づいて、夫々、メッセージ中に含まれる身体測定値が異常であるか正常であるかの判定を行う。その各判定基準情報に基づく判定の結果は、その判定基準情報の提供元病院の病院名とともに、電子情報中に列挙され、この電子情報が、利用者に送信される。利用者は、電子情報の内容を画面に表示させることにより、自己の身体測定値を異常と認め得るる病院の存在と、その病院名を知ることができる。
【発明の効果】
【００１１】
以上のように構成された本発明によれば、健康管理機器を用いて身体測定をした利用者に対して、実際の医療現場の基準に即した厳密な通院要否判断を可能ならしめることができる。
【発明を実施するための最良の形態】
【００１２】
以下、図面に基づいて、本発明の実施の形態である病院紹介システムを、説明する。
【００１３】
（システム構成）
図１は、本実施例による病院紹介システムの構成を示す概略構成図であり、図２は、病院紹介システムを構成する各装置間でのデータの流れを示すデータフロー図である。この図１に示されるように、この病院紹介システムは、システムの中核となる健康管理サーバ６と、この健康管理サーバ６に対してインターネットＮを通じて接続及び通信可能な個々の利用者所有の健康管理機器１，及びパーソナルコンピュータ２又は携帯電話３と、健康管理サーバ６に対してＬＡＮ（Local Area Network）を通じて接続された健康管理データベース（サーバ）４と、これら健康管理サーバ６及び健康管理データベース（サーバ）４に対してインターネット，専用回線，ＬＡＮ等のネットワークＷを通じてアクセス可能な多数台の病院端末５とから、構成されている。
【００１４】
このうち、健康管理機器１は、利用者（被検査者）に対して複数種類の身体測定を行って夫々測定値を取得し、それら測定値をインターネットＮ経由で健康管理サーバ６へ送信する装置である（利用者の身体を測定することによって得た測定値を送信する端末に相当）。この健康管理機器１は、本実施例では、図１に示すようにＰＤＡ（Personal Digital Assistance）型であり且つ無線通信機能を備えた一台の携帯端末であると想定しているが、例えば体重や身長を測定可能なものであるとするならば、据置型の端末であることが自然であり、そうであれば、インターネットＮへの接続は、電話回線やブロードバンドによる有線通信であれば良い。また、この健康管理機器１は、それ自体で直接インターネットＮに接続する機能を有していても良いが、ルータを通じてインターネットＮに接続されているホームネットワークが利用者の自宅に構築されているならば、このホームネットワークを通じて、インターネットＮに接続する機能を有するものであっても良い。その場合、健康管理機器１の形態がＰＤＡ型であっても、無線通信機能は、携帯電話やPHS通信を利用したものでなくても、例えば、無線ＬＡＮを利用するものであっても十分である。また、その場合には、健康管理機器２は、単独の筐体に全種類の身体測定機能を備えたものでなくてもよく、夫々が個別の身体測定機能を備えた複数の機器から構成されても良い。
【００１５】
図３は、上述したように携帯端末の形態のものとして構成された健康管理機器１の内部回路構成を示すブロック図である。この図３に示すように、この健康管理機器１は、ＣＰＵ１０と、バスＢを通じて夫々ＣＰＵ１０に接続されたキーボード／タッチパネル１１，体温センサ１２，血圧センサ１３，その他のセンサ１４，ディスプレイ１５，ＲＯＭ１６及び通信装置１７とから、構成されている。
【００１６】
体温センサ１２は利用者（被測定者）の体温を測定して測定値としての体温をＣＰＵ１０に入力するセンサである。また、血圧センサ１３は利用者（被測定者）の血圧を測定して測定値としての最高血圧及び最低血圧をＣＰＵ１０に入力するセンサである。また、その他のセンサ１４は、それ以外の種類の身体測定を行って測定値をＣＰＵ
１０に入力するセンサである。例えば、当該健康管理機器２が大型なものであっても良いならば、このセンサ１４として、被検査者の体重を計測して測定値としての体重値をＣＰＵ１０に入力する体重センサや、被検査者の身長を計測して測定値としての身長値をＣＰＵ１０に入力する身長センサを、採用することができる。また、センサの技術が向上すれば、例えば、尿酸値，タンパク質等を計測するセンサを、センサ１４として、追加可能である。
【００１７】
ディスプレイ１５は、ＣＰＵ１０からの制御に従い、このＣＰＵ１０が表示を命じた情報を表示するための表示装置であり、例えば、液晶パネルを採用することができる。
【００１８】
キーボード／タッチパネル１１は、利用者（被測定者）によって操作されることにより、ＣＰＵ１０に各種コマンドやデータを入力することができる入力装置である。例えば、上述したその他のセンサ１４として、体重センサや身長センサを組み込むことができない場合には、別途測定された体重値や身長値が、このキーボード／タッチパネル１１を通じて、ＣＰＵ１０に入力される。なお、タッチパネル及びキーボードは、何れか一方のみが採用されても良いし、両者がともに採用されても良い。また、タッチパネルは、ディスプレイ１５上に設置された透明なものであっても良い。
【００１９】
ＲＯＭ１６は、ＣＰＵ１０が読み込んで実行するプログラムを格納している。
【００２０】
ＣＰＵ１０は、ＲＯＭ１６からプログラムを読み込んで実行することにより、各センサ１２〜１４をアクティブにして、これらセンサ１２〜１４が測定して入力した測定値を取り込む。また、ＣＰＵ１０は、これら測定値に対して、所定の計算を実行することによって複合値，例えば、ＢＭＩ（Body Man Index）値（＝体重値／身長値２）を算出することができる。また、ＣＰＵ１０は、これら測定値，ＢＭＩ値を、ディスプレイ１５上に表示させる。さらに、ＣＰＵ１０は、図４に示すように、測定値の健康管理サーバ１への送信を利用者（被測定者）に問うメッセージをディスプレイ１５上に表示させた後に、キーボード／タッチパネル１１を通じて送信する旨のコマンドが入力された場合には、通信装置１７を制御して、それまでに各センサ１２〜１４から入力されていた身体測定値（キーボード／タッチパネル１１を通じて入力された身体測定値を含む）及びＢＭＩ値を、それらの測定日時，当該利用者（被検査者）の年齢及び識別情報（氏名，ＩＤ）とともに含むメッセージを、インターネットＮ経由で健康管理サーバ１へ送信させる。なお、当該利用者（被検査者）の年齢及び識別情報（氏名，ＩＤ）は、予め、ＲＯＭ１６に記憶されているものとする。
【００２１】
通信装置１７は、インターネットに繋がる図示せぬ地上局との間で無線通信を行い、ＣＰＵ１０から受け取った信号を無線信号に変換して図示せぬ地上局へ送信し、また、図示せぬ地上局から受信した無線信号を信号変換してＣＰＵ１０に伝達する装置である。
【００２２】
図１の説明に戻って、パーソナルコンピュータ２又は携帯電話３は、何れも、インターネット接続機能及びメール送受信機能を備えた通常のものである。
【００２３】
他方、各病院端末５は、夫々、別々の病院に保有・設置されたコンピュータ（単独のパーソナルコンピュータ，若しくは、電子カルテシステムを構成する端末）であり、健康管理データベース（サーバ）４に対して、その運営主である病院が独自に設定した上記各測定値に対するの判定基準や自病院についての基本情報を健康管理データベースサーバ１へ登録するアップロード機能を有するとともに、健康管理サーバ６から、何れかの利用者（被検査者）の身体測定値が添付されている診断予約申し入れのメッセージを、電子メールその他の電子データとして、受信する。
【００２４】
健康管理データベース（サーバ）４は、上述したように、各病院端末５からアップロードされた各測定値に対する判定基準を、所定の形式に変換してディスクに保存するとともに、健康管理サーバ６に参照させる。また、各病院端末５からアップロードされた病院の基本情報を、所定の形式に変換してディスクに保存するとともに、健康管理サーバ６を介して間接的に受信したパーソナルコンピュータ２又は携帯電話３からの要求に応じて参照させる。また、健康管理サーバ６からアップロードされた各利用者（被測定者）の身体測定値を、所定の形式に変換してディスクに保存するとともに、以後、この健康管理サーバ６自身に参照させる。
【００２５】
図５は、健康管理データベース（サーバ）４において上述した病院の基本情報のデータを保存する形式であるテーブル（病院基本情報テーブル４１）を示す表である。この図５に示すように、病院基本情報テーブル４１には、その病院に対して一意に付与された識別番号である病院コード，その病院の病院名，住所，電話番号，その病院に駐車場があるかどうか（あれば、更に、駐車可能台数）を示す情報，その取扱課名を示すコード（０：内科，１：外科，２：耳鼻科，・・・），そのメールアドレス，等の情報（備考）を、登録することができる。健康管理データベース（サーバ）４は、このような病院基本情報テーブル４１を、病院端末５を設置している病院毎に作成して、保存している。
【００２６】
また、図６は、健康管理データベース（サーバ）４において上述した利用者（被測定者）の身体測定値を格納する形式であるテーブル（測定値連携テーブル４２）を示す表である。この図６に示すように、測定値連携テーブル４２には、その利用者（被測定者）に対して一意に付与された識別番号であるＩＤ（当該健康管理サーバ６がインターネット・プロバイダにより運営されている場合には、当該プロバイダによって当該利用者に付与されたサービス会員ＩＤが用いられても良い），その利用者（被測定者）の名前，その利用者（被測定者）の健康管理機器１から最新に送信されて来た身体測定値の測定日，測定時刻，その健康測定機器１の種別を示すコード（０，１，２，・・），その利用者（被測定者）の連絡先を示す電話番号や電子メールアドレス（当該健康管理サーバ６がインターネット・プロバイダにより運営されている場合には、当該プロバイダの会員データベースに登録されている当該利用者についての情報から、抽出されたものでも良い），上記最新の身体測定値を示す文字列を、登録することができる。健康管理データベース（サーバ）４は、このような測定値連携テーブル４２を、身体測定値を送信してきた利用者（被測定者）毎に作成して、保している。
【００２７】
また、図７は、健康管理データベース（サーバ）４において上述した病院毎の判定基準を保存する形式であるテーブル（病院の基準値テーブル４３）を示す表である。この図７に示すように、病院の基準値テーブル４３には、その病院に対して一意に付与された識別番号である病院コードが登録されているとともに、被測定者の年齢及び性別の組合せ毎に、その年齢における各種身体測定値の基準値（身長［ｍｍ］，体重［ｇ］，体温［1/10℃］，最高血圧［ｍｍHｇ］，最低血圧［ｍｍHｇ］）及びＢＭＩ値の基準値（［1/100），それら測定値及びＢＭＩ値の基準値に対する過剰側のズレの比率を、危険レベル毎に区切って示す判定基準（体重許容上限範囲（％），体温許容上限範囲（％），最高血圧許容上限範囲（％），最低血圧許容上限範囲（％），ＢＭＩ許容上限範囲（％）），及び、それら測定値及びＢＭＩ値の基準値に対する不足側のズレの比率を、危険レベル毎に区切って示す判定基準（体重許容下限範囲（％），体温許容下限範囲（％），最高血圧許容下限範囲（％），最低血圧許容下限範囲（％），ＢＭＩ許容下限範囲（％））を、登録することができる。なお、各上限範囲の欄に記載された夫々カンマで区切られた５つの百分率は、左側から順に、危険度１と判断されるズレの上限，危険度２と判断されるズレの上限，危険度３と判断されるズレの上限，危険度４と判断されるズレの上限，危険度５と判断されるズレの上限を示す（危険度の数字が大きくなる程危険度が高いことを意味する。）。同様に、各下限範囲の欄に記載された夫々カンマで区切られた５つの百分率は、左側から順に、危険度１と判断されるズレの下限，危険度２と判断されるズレの下限，危険度３と判断されるズレの下限，危険度４と判断されるズレの下限，危険度５と判断されるズレの下限を示す（危険度の数字が大きくなる程危険度が高いことを意味する。最も右側の百分率を超える範囲は危険度６と判断される。）。健康管理データベース（サーバ）４は、このような病院の基準値テーブル４３（身体測定値の判定基準及び提供元病院の識別情報を夫々定義した判定基準情報に相当）を、病院端末５を設置している病院毎に作成して、保存している。
【００２８】
図１の説明に戻って、健康管理サーバ６は、或る利用者（被検査者）の健康管理機器１から身体測定値及ＢＭＩ値を含むメッセージ（身体測定値及び利用者の識別情報を含むメッセージに相当）を受信すると、当該利用者（被検査者）についての連絡先を取得（図示せぬ会員データベースを参照して取得）した上で、これらとメッセージ中の情報とを結合してなる測定値連携テーブル４３を健康管理データベースサーバ１へアップロードするとともに、健康管理データベース（サーバ）４から全ての病院の基準値テーブル４３を読み出す（判定基準情報読出手段に相当）。そして、各病院毎に、その病院が提供した基準値テーブル４３に定義された判定基準に当該利用者（被検査者）の身体測定値及ＢＭＩ値を適用し、それら身体測定値及ＢＭＩ値の危険度を判定する（判定基準情報毎に、夫々、判定基準情報に含まれる判定基準に対して前記メッセージ中に含まれる身体測定値を適用して、当該身体測定値が異常であるか正常であるかの判定を行う判定手段に相当）。そして、各病院毎に、その病院が提供した基準値テーブル４３に基づいた判定により高度の危険性が認められた身体測定値又はＢＭＩ値の種別を指摘する内容の電子メールを、当該利用者（被検査者）のメールアドレス宛，即ち、パーソナルコンピュータ２又は携帯電話３へ送信する。何ら異常が認められない場合にはその旨を通知する電子メール（電子情報に相当）を生成し（電子情報生成手段に相当）、当該利用者（被検査者）のメールアドレス宛，即ち、パーソナルコンピュータ２又は携帯電話３へ送信する（電子情報送信手段に相当）。
【００２９】
図８は、異常が認められた場合に送信された電子メールに基づきパーソナルコンピュータ２又は携帯電話３の画面に表示される測定結果通知画面の例である。この図８に示すように、この画面には、上述した病院の基準値テーブル４を提供した各病院の病院名が、夫々が提供した基準値テーブル４に基づく判定結果として得られた危険度の大きい身体測定値又はＢＭＩ値の種類及びその危険度の程度（例えば、危険度が４以上であれば「通院推奨」，危険度が２以上であれば「注意」，何れの身体測定値及びＢＭＩ値についても危険度が１であれば「問題なし」）と併記される。また、この測定結果画面には、電子メールデータ中に組み込まれたタグにより、当該利用者（被検査者）が病院の診察予約を希望する場合に操作される「はい」ボタン１００，病院の診察予約を希望しない場合に操作される「いいえ」ボタン１０１が、表示される。また、上述した各病院名の脇には、当該利用者（被検査者）が病院の診察予約を希望する場合に、予約先病院のとして指定するためのオプションボタン１０２が、表示される。上記タグには、利用者（被検査者）が何れかの病院名に付されたオプションボタン１０２が選択された状態で「はい」ボタン１００が操作された場合に、これらパーソナルコンピュータ２又は携帯電話３内にインストールされている図示せぬブラウザプログラムに対して、選択されたオプションボタン１０２に対応した病院に対する予約を希望する旨のメッセージを健康管理サーバ６へ送信させる設定が、組み込まれている。
【００３０】
そして、健康管理サーバ６は、当該利用者（被検査者）のパーソナルコンピュータ２又は携帯電話３から、上述したように選択された病院に対する診察予約を希望する旨のメッセージを受信すると、健康管理データベース（サーバ）４から当該利用者（被検査者）の測定値連携テーブル４２を読み出し、この測定値連携テーブル４２に記録された各種情報とともに、当該利用者（被検査者）が診察予約を申し入れる旨の電子情報（電子メール，ウェブデータ等）を、選択された病院の病院端末５へ送信する。次いで、健康管理サーバ６は、健康管理データベース（サーバ）４から当該病院の病院基本情報テーブル４１を読み出して、その病院基本情報テーブル４１の内容並びに当該利用者の身体測定日及びＢＭＩ値を含むウェブデータを生成して、パーソナルコンピュータ２又は携帯電話３に応答し、その図示せぬブラウザにより画面表示させる。図９は、このウェブブラウザに基づいて図示せぬブラウザが表示させる病院予約申入完了画面を示す画面例である。
【００３１】
なお、上記電子情報を病院端末５が受信した病院では、病院端末５の機能により自動的に、又は、手動で、予約可能な日時の候補を探し、その日時を、電子メール等により予約申し入れした利用者に提示する（なお、上記電子情報に含まれる身体測定値やＢＭＩ値の異常の程度が大きい場合には、当該病院は、緊急を要すると判断して、他に優先して早い日時に予約を受け入れることが、期待される）。そして、提示された日時の中から利用者（被測定者）が何れかの日時を選択して、その日時での予約を当該病院に連絡（電子メール又は電話）し、当該病院がそれに承諾すると、診断の予約が正式に成立することになる。
【００３２】
以下、図１０のブロック図に基づいて、病院紹介サーバ装置としての健康管理サーバ６の回路構成を説明する。この図１０に示すように、健康管理サーバ６は、通常のサーバと全く同じハードウェア構成を有している。具体的には、プログラム６５を格納したハードディスク６１と、このプログラム６５を読み込むことによって上述した動作（処理，制御）を実行するコンピュータ自体であるＣＰＵ６０と、ＣＰＵ６０が処理を実行するに際して作業領域が展開される主記憶装置であるＲＡＭ６２と、インターネットＮに接続されたネットワークインタフェース６３と、ＬＡＮ６２に接続されたＬＡＮアダプタ６４とを、互いにバスＢにより接続した形態で、内蔵している。
【００３３】
（処理）
上記プログラム６５は、サーバ用のＯＳ，ＷＷＷサーバプログラム，及び、各種ＣＧＩやサーブレット等のアプリケーションプログラムの集合体である（病院紹介プログラムに相当）。このプログラム６５によってＣＰＵ６０が実行する処理のうち、何れかの利用者（被測定者）の健康管理機器１から身体測定値及ＢＭＩ値を含むメッセージを受信することによってスタートして当該利用者（被検査者）のメールアドレス宛，即ち、パーソナルコンピュータ２又は携帯電話３へ電子メールを送信するまでの処理を、図１１を参照して説明する。
【００３４】
スタート後最初のＳ００１では、ＣＰＵ６０は、健康管理データベース（サーバ）４から、最初の病院基準値テーブル４３を読み出して、ＲＡＭ６２に読み込む。続いて、ＣＰＵ６０は、Ｓ００１（若しくは、後述するＳ０１２）にて読み出した病院の基準値テーブル４３に基づいて、受信したメッセージに含まれる各測定値及びＢＭＩ値に異常が認められるか否かをチェックするために、Ｓ００２乃至Ｓ０１２のループ処理を実行する。
【００３５】
このループ処理に入って最初のＳ００２では、ＣＰＵ６０は、Ｓ００１（若しくは、後述するＳ０１２）にて読み出した病院の基準値テーブル４３内を、受信したメッセージに含まれる利用者（被測定者）の年齢及び性別を検索キーとして検索し、その年齢及び性別に該当するレコードを読み出す。
【００３６】
次のＳ００３では、ＣＰＵ６０は、Ｓ００２にて検索したレコードに定義された体重の標準値と受信したメッセージに含まれる体重の測定値との比率を算出する。そして、前者よりも後者の方が大きい場合には、算出された比率が、同レコード中の体重許容上限範囲に列挙される各百分率によって区切られたどの危険度（１〜６）の範囲であるかを判定する。他方、前者よりも後者の方が小さい場合には、算出された比率が、同レコード中の体重許容下限範囲に列挙される各百分率によって区切られたどの危険度（１〜６）の範囲であるかを判定する。そして、判定された危険度が予め設定された危険度よりも低ければ、異常がないとして処理をそのままＳ００５へ進める。これに対して、判定された危険度が予め設定された危険度よりも高ければ、異常があるとして処理をＳ００４へ進める。Ｓ００４では、ＣＰＵ６０は、Ｓ００１（若しくは、後述するＳ０１２）にて読み出した病院の基準値テーブル４３中の病院コードに対応させて、体重について判定された危険度をＲＡＭ６２に一時記憶させる。Ｓ００４の完了後、ＣＰＵ６０は、処理をＳ００５へ進める。
【００３７】
Ｓ００５では、ＣＰＵ６０は、Ｓ００２にて検索したレコードに定義されたＢＭＩの標準値と受信したメッセージに含まれるＢＭＩ値との比率を算出する。そして、前者よりも後者の方が大きい場合には、算出された比率が、同レコード中のＢＭＩ許容上限範囲に列挙される各百分率によって区切られたどの危険度（１〜６）の範囲であるかを判定する。他方、前者よりも後者の方が小さい場合には、算出された比率が、同レコード中のＢＭＩ許容下限範囲に列挙される各百分率によって区切られたどの危険度（１〜６）の範囲であるかを判定する。そして、判定された危険度が予め設定された危険度よりも低ければ、異常がないとして処理をそのままＳ００７へ進める。これに対して、判定された危険度が予め設定された危険度よりも高ければ、異常があるとして処理をＳ００６へ進める。Ｓ００６では、ＣＰＵ６０は、Ｓ００１（若しくは、後述するＳ０１２）にて読み出した病院の基準値テーブル４３中の病院コードに対応させて、ＢＭＩ値について判定された危険度をＲＡＭ６２に一時記憶させる。Ｓ００６の完了後、ＣＰＵ６０は、処理をＳ００７へ進める。
【００３８】
Ｓ００７では、ＣＰＵ６０は、Ｓ００２にて検索したレコードに定義された体温の標準値と受信したメッセージに含まれる体重の測定値との比率を算出する。そして、前者よりも後者の方が大きい場合には、算出された比率が、同レコード中の体温許容上限範囲に列挙される各百分率によって区切られたどの危険度（１〜６）の範囲であるかを判定する。他方、前者よりも後者の方が小さい場合には、算出された比率が、同レコード中の体温許容下限範囲に列挙される各百分率によって区切られたどの危険度（１〜６）の範囲であるかを判定する。そして、判定された危険度が予め設定された危険度よりも低ければ、異常がないとして処理をそのままＳ００９へ進める。これに対して、判定された危険度が予め設定された危険度よりも高ければ、異常があるとして処理をＳ００８へ進める。Ｓ００８では、ＣＰＵ６０は、Ｓ００１（若しくは、後述するＳ０１２）にて読み出した病院の基準値テーブル４３中の病院コードに対応させて、体温について判定された危険度をＲＡＭ６２に一時記憶させる。Ｓ００８の完了後、ＣＰＵ６０は、処理をＳ００９へ進める。
【００３９】
Ｓ００９では、ＣＰＵ６０は、Ｓ００２にて検索したレコードに定義された最高血圧の標準値と受信したメッセージに含まれる最高血圧の測定値との比率を算出する。そして、前者よりも後者の方が大きい場合には、算出された比率が、同レコード中の最高血圧許容上限範囲に列挙される各百分率によって区切られたどの危険度（１〜６）の範囲であるかを判定する。他方、前者よりも後者の方が小さい場合には、算出された比率が、同レコード中の最高血圧許容下限範囲に列挙される各百分率によって区切られたどの危険度（１〜６）の範囲であるかを判定する。これとともに、ＣＰＵ６０は、同レコードに定義された最低血圧の標準値と受信したメッセージに含まれる最低血圧の測定値との比率を算出する。そして、前者よりも後者の方が大きい場合には、算出された比率が、同レコード中の最低血圧許容上限範囲に列挙される各百分率によって区切られたどの危険度（１〜６）の範囲であるかを判定する。他方、前者よりも後者の方が小さい場合には、算出された比率が、同レコード中の最低血圧許容下限範囲に列挙される各百分率によって区切られたどの危険度（１〜６）の範囲であるかを判定する。そして、最高血圧及び最低血圧について判定された危険度が予め設定された危険度よりも低ければ、異常がないとして処理をそのままＳ００９へ進める。これに対して、最高血圧又は最低血圧の何れかについて判定された危険度が予め設定された危険度よりも高ければ、異常があるとして処理をＳ０１０へ進める。Ｓ０１０では、ＣＰＵ６０は、Ｓ００１（若しくは、後述するＳ０１２）にて読み出した病院の基準値テーブル４３中の病院コードに対応させて、最高血圧及び最低血圧について判定された危険度をＲＡＭ６２に一時記憶させる。Ｓ０１０の完了後、ＣＰＵ６０は、処理をＳ０１１へ進める。
【００４０】
なお、上述したように、健康管理機器１のセンサ１４としてどのようなセンサが採用されるかに依り、上記した以外の身体測定値（例えば、上述した尿酸値，タンパク質）がメッセージに含まれる可能性がある。このようにしてメッセージに含まれる身体測定値の種類が増えた場合には、Ｓ０１１が実行される前に、増加した各身体測定値の危険度を判定するためのＳ００３〜Ｓ０１０と同様の判定処理及びＲＡＭへの記憶処理が、実行される。
【００４１】
Ｓ０１１では、今回受信したメッセージに関して、全ての病院の基準値テーブル４３を読み込んだか否かをチェックする。そして、未だ全ての病院の基準値テーブル４３を読み込んでいない場合には、Ｓ０１２において、次の病院の基準値テーブル４３を健康管理データベース（サーバ）４から読み出して、ＲＡＭ６２に読み込んだ後に、当該新たに読み込んだ病院の基準値テーブル４３に基づくチェックを行うために、処理をＳ００２に戻す。
【００４２】
これに対して、Ｓ００２乃至Ｓ０１２のループ処理を繰り返した結果として全ての病院の基準値テーブル４３を読み込んだとＳ０１１にて判断した場合には、ＣＰＵ６０は、処理をＳ０１３へ進める。Ｓ０１３では、ＣＰＵ６０は、各回のループ処理におけるＳ００４，Ｓ００６，Ｓ００８，Ｓ０１０にてＲＡＭ６２に一時記憶された情報（各病院の病院コードに関連付けられた危険度の高い測定値を指摘する情報）に基づいて、上述した測定結果通知画面（図８参照）を表示させるための電子メールを生成して、受信したメッセージ中に含まれる当該利用者（被測定者）のＩＤに対応して図示せぬ会員データベースから読み出された当該利用者（被測定者）のメールアドレス宛（パーソナルコンピュータ２又は携帯電話３宛）に、送信する。
【００４３】
次のＳ０１４では、受信したメッセージ中に含まれる情報と上記メールアドレスとを結合するこによって上記測定値連携テーブル（図６）を生成し、健康管理データベース（サーバ）４へアップロードする。Ｓ０１４を完了すると、変更管理プログラム１６に従って動作するＣＰＵ１０は、このプロセスを終了する。
【００４４】
（作用）
以上のように構成された本実施例の病院紹介システムによると、利用者は、自己保有の健康管理機器１の各センサ１２〜１４を用いて、自己の身体を測定する。そして、センサが不足している身体測定の項目については、別の測定機器を用いて測定した上で、その測定値を、健康管理機器１のキーボード／タッチパネル１１に入力する。しかる後に、利用者が、送信する旨のコマンドをキーボード／タッチパネル１１に入力すると、各測定値及び測定値に基づいて算出されたＢＭＩ値が、健康管理サーバ６へ送信され、各病院毎に、その病院が提供している判定基準に利用者の身体測定値及びＢＭＩ値が適用され、夫々の危険度が判定される。その上で、健康管理サーバ６は、各病院の病院名を、その病院が提供する判定基準に基づいて危険度が高いと判定された測定値の種類及びその程度を指摘する内容の電子メールを、当該利用者（被測定者）のメールアドレス宛に送信する。従って、利用者（ユーザ）は、この電子メールの内容を表示させた画面において、自己の身体測定値に異常を見出す病院の病院名を知ることができる。よって、その病院で診察を受ければ、危険度が高いと判定された測定値が得られた原因を、診断してもらうことが、十分に期待できるのである。
【００４５】
（変形例）
本発明において、測定結果通知画面（図８）の「はい」ボタン１００が操作された場合に送信される電子メール（選択された病院へ診察予約を申し入れるための電子メール）は、健康管理サーバ６ではなく、直接、選択された病院へ送信されても良い。この場合、この電子メールに、身体測定値及びＢＭＩ値の全て又は異常とされたもののみが含まれても良いが、予約成立前に個人情報を開示することに問題があるのであれば、予約成立後に、これらの情報が病院へ送信されるよう構成すれば良い。
【００４６】
また、上記実施例では、測定結果画面は、電子メールとして当該利用者（被測定者）のパーソナルコンピュータ２又は携帯電話３へ送信されたが、健康管理機器１自体が電子メール受信機能を持つのであれば、そのアドレス宛ての電子メールとして、また、この健康管理機器１自体がウェブブラウズ機能を持つのであれば、ＨＴＴＰレスポンスメッセージとして、この健康管理機器１自体に送信されても良い。
【００４７】
また、病院の基準値テーブル４３には、各身体測定値に対するの判定式（連立不等式等）が、登録されていても良い。その場合、図１１に示す処理におけるＳ００３乃至Ｓ０１０は、その判定式に身体測定値を代入することによって判定を行い、異常であればその旨をＲＡＭ６２に一時記憶する処理に、置き換えられる。
【図面の簡単な説明】
【００４８】
【図１】本発明の実施の形態である病院予約システムの構成を示す概略構成図
【図２】病院紹介システムを構成する各装置間でのデータの流れを示すデータフロー図
【図３】健康管理機器の内部回路構成を示すブロック図
【図４】ディスプレイの画面例を示す図
【図５】病院基本情報テーブルのデータ構造を示す表
【図６】測定値連携テーブルのデータ構造を示す表
【図７】病院の基準値テーブルのデータ構造を示す表
【図８】測定結果通知画面を示す図
【図９】病院予約申入完了画面
【図１０】健康管理サーバの内部回路構成を示すブロック図
【図１１】健康管理機器から身体測定値及ＢＭＩ値を含むメッセージを受信することによってスタートする処理を示すフローチャート
【符号の説明】
【００４９】
１      健康管理機器
２      パーソナルコンピュータ
３      携帯電話
４      健康管理データベース（サーバ）
５      病院端末
６      健康管理サーバ
４１      病院基本情報テーブル
４２      測定値連携テーブル
４３      病院の基準値テーブル
【図１】
2007264983.tif 000003
【図２】
2007264983.tif 000004
【図３】
2007264983.tif 000005
【図４】
2007264983.tif 000006
【図５】
2007264983.tif 000007
【図６】
2007264983.tif 000008
【図７】
2007264983.tif 000009
【図８】
2007264983.tif 000010
【図９】
2007264983.tif 000011
【図１０】
2007264983.tif 000012
【図１１】
2007264983.tif 000013